(57)【要約】【課題】刈取穀稈の長短稈に関係なく、結束ミスや穀稈束放出姿勢が乱れることがなく、作業効率の良い刈取結束機を提供する。【解決手段】穀稈引起装置の後方に位置し、刈取穀稈を右側方へ搬送案内する搬送カバーの右側を前方に向け屈曲して搬送支持面に形成すると共に、該搬送支持面により結束機の穀稈集束部に集束された穀稈の外方への倒れを防止するようにした刈取結束機において、上記搬送カバーの右外側方位置に、上記搬送支持面に沿って外方に延設した延長カバーを設けた。また、上記延長カバーを着脱、若しくは機体内側へ移動可能に構成した。【選択図】        図４
2004187569.tif 000002
【特許請求の範囲】
【請求項１】
穀稈引起装置の後方に位置し、刈取穀稈（Ｂ）を右側方へ搬送案内する搬送カバー（７）  の右側を前方に向け屈曲して搬送支持面（９）  に形成すると共に、該搬送支持面（９）  により結束機（１０）の穀稈集束部（８）  に集束された穀稈の外方への倒れを防止するようにした刈取結束機において、上記搬送カバー（７）  の右外側方位置に、上記搬送支持面（９）  に沿って外方に延設した延長カバー（１４）を設けたことを特徴とする刈取結束機。
【請求項２】
延長カバー（１４）を着脱、若しくは機体内側へ移動可能に構成した請求項１記載の刈取結束機。
【発明の詳細な説明】
【０００１】
【発明の属する技術分野】
本発明は、刈取結束機に関する。
【０００２】
【従来の技術】
従来、刈取結束機で作業する際、圃場での刈取穀稈を引起装置後方の搬送カバーで凭れさせながら右側方へ搬送案内し、結束機の集束部に一定量を集束するようにしているが、長い穀稈材の場合には、機体の振動等で重い穂先側が右外側方に倒れて、これにより紐外れによる結束ミスが発生し易いため、これを防止する目的で集束部に集束した穀稈の中間部を保持する茎稈受止ガイド（バネ板状の束支え板）の取付位置を稈身方向に上下調節可能としたものがある（例えば、特許文献１参照。）。
【０００３】
【特許文献１】
特開２０００−１８８９２６号公報（第２，３頁、図１，２，３）
【０００４】
【発明が解決しようとする課題】
ところで、上記茎稈受止ガイド（束支え板）は、長い穀稈材の場合には、その取付位置を上側にずらして使用するようにしているが、結束後の穀稈束を結束機の放出杆で放出通路より押し出し放出する際に、上記放出杆が作用する位置と、茎稈受止ガイドの位置とが離れ過ぎると、穀稈束放出の際の放出姿勢が乱れて結束ミスが起こり、また、その後の束の回収に支障が出るという問題が発生していた。
また、それを防止するために、機体後方にある穀稈の搬送カバーを走行機体右側に大きく突出させて形成すると、圃場での刈取作業を最初に行う中割り刈取りの際に、突出部分が隣接する立毛穀稈に当接して、これらを倒したり、脱粒損失を与えてしまうとの不具合がある。
本発明の目的は、上記従来の不具合を改善する点にある。
【０００５】
【課題を解決するための手段】
上記目的を達成するため、本発明においては、穀稈引起装置の後方に位置し、刈取穀稈を右側方へ搬送案内する搬送カバーの右側を前方に向け屈曲して搬送支持面に形成すると共に、該搬送支持面により結束機の穀稈集束部に集束された穀稈の外方への倒れを防止するようにした刈取結束機において、上記搬送カバーの右外側方位置に、上記搬送支持面に沿って外方に延設した延長カバーを設けたことを第１の特徴とする。
【０００６】
また、上記延長カバーを着脱、若しくは機体内側へ移動可能に構成したことを第２の特徴とする。
【０００７】
【発明の実施の形態】
本発明の実施の形態について、以下図面の例に基づいて説明する。
図１は、本発明を実施した刈取結束機の全体斜視図であり、１は走行機体である刈取結束機であって、通常の刈取結束機と同様に、その前方には引起装置として圃場の立毛穀稈を複数の梳上爪２・・・にて梳起す引起ガイド３と案内ガイド４とが夫々設けられ、両者の先端にはディバイダ５，５が装着されている。
そして、これらの下方には穀稈の株元部を刈取る刈刃６が設けられ、刈取られた穀稈は、後方の搬送カバー７に凭れながら、右側へ搬送されて一側に設けた穀稈集束部８に集められる。
更に、上記搬送カバー７の右側を前方に向け屈曲して搬送支持面９に形成しており、該搬送支持面９にて上記穀稈集束部８に集束された穀稈の右外方への倒れを防止するようにしている。
なお、上記搬送支持面９を本実施例では屈曲して形成したが、湾曲して形成しても良いことは勿論である。
【０００８】
また、上記穀稈集束部８に一定量集められた穀稈は、株元側の前後位置に亘って設けられた結束機１０にて一束毎に結束され、前方側の放出杆１１にて放出通路より右側方に放出されるものである。
ここで、上記案内ガイド４の裏面から集束穀稈側に向けて設けられた符号１３は、穀稈集束部８に集束された穀稈の前方側を支持して倒れないようにする板バネ状の束支え板であり、１４は搬送カバー７の外方に延設して装着した延長カバー、１５は上記延長カバー１４を取付けるためのブラケットでこれらの詳細については後述する。
なお、上記搬送カバー７の後方には紐載せ台１６，ハンドル１７，クラッチレバー１８及びエンジン１９等が備えられており、これらの下方には車輪２０が備えられている。
【０００９】
次に、図２は刈取結束機の圃場での刈取状態における説明用平面図であって、Ａは刈株、Ｂは刈取穀稈、Ｃは立毛穀稈を夫々示す。
また、図３は同じく刈取結束機の左側面図を示し、２２は上記エンジン１９の動力を各部に伝動するための変速装置、２３はその切替を行う変速レバー、２４は車輪２０への動力伝動装置のカバーである。
【００１０】
更に、図４は要部の説明用分解斜視図であって、上記延長カバー１４の形状は、上記搬送カバー７の右側端部と略同一で縦方向中間側が穀稈の通過する表面側に稍突出しており、その下部側裏面に形状の異なる２個の取付片２５ａ，２５ｂが溶接されていて、上記延長カバー１４を上記ブラケット１５を介して上述の搬送カバー７の裏面側の取付部に挟み込んで、上下２段に設けたボルト２６ａ，２６ｂを搬送カバー７に設けた上下の取付孔７ａ，７ｂよりブラケット１５の長孔２７，２７に挿通して夫々ナット２８ａ，２８ｂで取付るようにしている。
そして、上記長孔２７は、図４のＸ−Ｘ線拡大断面図である図５に記載の如く、延長カバー１４の搬送カバー７への取付位置を調整可能として搬送カバー７の右側端部と延長カバー１４との間に隙間αが出来るのを防止して、搬送穀稈が上記隙間αに引っ掛かることなく円滑に支持案内出来るようにしている。
なお、この時の下側の取付（ボルト２６ｂとナット２８ｂ）は、紐乗せ台１６の下カバー２９と重ねて取付けられる。そして、該下カバー２９は結束機１０の上方のカバーとを兼ねており、下カバー２９の下端は結束機１０に取付けられているものである。
【００１１】
また、上記ブラケット１５の表側には、上記延長カバー１４裏側の両取付片２５ａ，２５ｂに対応する位置に取付片３０ａ，３０ｂが夫々設けられていて、これら両部材の取付片２５ａと３０ａ及び２５ｂと３０ｂとを夫々ボルト３２ａ・，３２ｂとこれに対応するナット３３ａ・，３３ｂで異なる２方向から取付けることにより、上記延長カバー１４が恰も搬送カバー７の延長状態となり、しかも頑丈な取付となるように構成されるものである。
そして、上記延長カバー１４は、圃場で刈取作業を開始する際の中割り刈りの時には立毛穀稈Ｃに当接して、これらを倒したり脱粒損失を発生する虞があるため、取り外した（又は、後述するように収納した）状態で作業する。
従って、延長カバー１４を取外して使いたい時には、上記延長カバー１４並びにブラケット１５を装着している搬送カバー７に取付けた上下のボルト２６ａ，２６ｂを一旦引き抜いて、ブラケット１５の取付を外してからボルト２６ａ，２６ｂを再び元の場所に取付けて作業すれば良い。
【００１２】
次に、図６，７に記載した第２実施例である他例について説明する。
図６は上記延長カバー１４を収納した状態の刈取結束機全体の平面図を示し、図７は要部の拡大平断面図を示す。
即ち、図７の例では、ブラケット１５ａ側の取付片３０ｃ，３０ｃを上下２段（下部側の取付は図面省略）とし、ブラケット１５ａの裏側に向けて取付ける一方、延長カバー１４ａ側の取付片２５ｃ，２５ｃを先の例の取付片２５ｂより長くして上下２段に設け、これを上方からボルト３２ｂ，３２ｂで取付けるようにしたものである。
従って、この例では上記の如き中割り刈り時には、上下のボルト３２ｂ，３２ｂを一旦緩めて、延長カバー１４ａを矢印Ｄ方向に回動して鎖線状態に収納し、再びボルト３２ｂ，３２ｂを締めることにより、延長カバー１４ａの収納切替操作がより簡単となり、通常の回り刈り時には元の位置に戻して作業すれば良い。
なお、本願の第１，２の実施例においては、延長カバー１４を着脱若しくは機体内側へ収納した場合を示したが、搬送カバー７の裏側にスライドさせて取付ける方式にしても良い。
【００１３】
以上のように構成された本願において、作業者は走行機体１のエンジン１９を始動させて、変速レバー２３やクラッチレバー１８等を適宜操作して、圃場内で刈取結束作業を行うが、刈取作業を始める時には通常１回のみの中割り刈りが行われる。
そしてこの時には、延長カバー１４を走行機体１に装着しない状態で行うか、若しくは第２実施例の図７の如く、延長カバー１４を矢印Ｄ方向に回動して、鎖線状態に収納した状態で行うと、立毛穀稈への穀稈倒れや脱粒損失等何等の支障がなく作業が出来る。この際の放出束は、従来通り次行程での立毛穀稈刈取に支障のない位置に作業者が移動するものである。
【００１４】
次いで、大部分の作業ボリュームとなる通常の回り刈り作業をする際には、予め延長カバー１４の装着されたブラケット１５を、搬送カバー７の裏面側の取付部に挟み込んで、上下２段に設けたボルト２６ａ，２６ｂを、取付孔７ａ，７ｂより挿通して装着する。
更に、延長カバー１４取付の際、搬送カバー７と延長カバー１４との接続部分に隙間αが出来て、搬送中の穀稈が隙間αに引っ掛かることなく、円滑に支持案内出来るように上記長孔２７，２７で取付を調節する必要がある。
また、第２実施例の場合には、上下２段のボルト３２ｂ，３２ｂを一旦緩めた上、延長カバー１４ａを図７の実線位置に戻して、再度上下のボルト３２ｂ，３２ｂを締めつけて、延長カバー１４ａが搬送カバー７の右側端部に延長された状態にして作業を行う。
【００１５】
従って、この状態では、長い穀稈材の場合であっても、穀稈集束部８に溜まった穀稈の穂先側を従来の搬送支持面９の他に搬送カバー７の搬送末端部に延長した延長カバー１４にて安定的に支持して機外に倒れるのを防止するので、従来の如く、紐外れによる結束ミスが発生したり、穀稈束放出の際の放出姿勢が乱れるようなことがなく、前行程の刈株上に整然とした姿勢で放出されて、その後の干乾し乾燥を効率良く行い、乾燥後の回収に当たっても能率良く回収が可能となるものである。
しかも、刈取作業を始める時の、中割り刈りの際には、上記延長カバー１４を外すか若しくは機体の内側に移動して収納状態とすることで、隣接する立毛穀稈への悪影響を無くすことが出来るものである。
【００１６】
【発明の効果】
本発明は、穀稈引起装置の後方に位置し、刈取穀稈Ｂを右側方へ搬送案内する搬送カバー７の右側を前方に向け屈曲して搬送支持面９に形成すると共に、該搬送支持面９により結束機１０の穀稈集束部８に集束された穀稈の外方への倒れを防止するようにした刈取結束機において、上記搬送カバー７の右外側方位置に、上記搬送支持面９に沿って外方に延設した延長カバー１４を設けたので、紐外れによる結束ミスが発生したり、穀稈束放出の際の放出姿勢が乱れるようなことがなくなるばかりか、結束済の束を刈株上に整然とした姿勢で放出して、その後の作業を効率的に行えるとの効果を奏するものである。
【００１７】
また、上記延長カバー１４を着脱、若しくは機体内側へ移動可能に構成したので、作業始め時の、中割り刈りの際には、上記延長カバー１４を外すか若しくは機体の内側に移動して収納状態とすることにより、隣接する立毛穀稈への悪影響を無くすことが出来るものである。
【図面の簡単な説明】
【図１】刈取結束機の全体斜視図である。
【図２】同上圃場での刈取状態における説明用平面図である。
【図３】同上左側面図である。
【図４】同上要部の説明用分解斜視図である。
【図５】同上図４のＸ−Ｘ線拡大断面図である。
【図６】他例を示し、延長カバーを収納した状態の刈取結束機全体の平面図である。
【図７】同上要部の拡大平断面図である。
【符号の説明】
１    走行機体
３    引起ガイド
４    案内ガイド
７    搬送カバー
８    穀稈集束部
９    搬送支持面
１０  結束機
１３  束支え板
１４，１４ａ  延長カバー
１５，１５ａ  ブラケット
２５ａ，２５ｂ，２５ｃ，３０ａ，３０ｂ，３０ｃ  取付片
２７  長孔
Ａ    刈株
Ｂ    刈取穀稈
Ｃ    立毛穀稈
Ｄ    矢印
α    隙間
【図１】
2004187569.tif 000003
【図２】
2004187569.tif 000004
【図３】
2004187569.tif 000005
【図４】
2004187569.tif 000006
【図５】
2004187569.tif 000007
【図６】
2004187569.tif 000008
【図７】
2004187569.tif 000009